(57)【要約】【課題】部品点数の削減及び狭ピッチ化を実現すると共に、高速伝送に対応可能なプラグ側コネクタ、及びこれを含む平衡伝送用コネクタを提供すること。【解決手段】平衡伝送用コネクタを構成するプラグ側コネクタであって、当該プラグ側コネクタの長手方向に延在する板状のプラグ側グランドコンタクトと、前記プラグ側グランドコンタクトの両側に、前記プラグ側グランドコンタクトの延在方向に沿って一対のプラグ側信号コンタクトが並ぶように形成された、複数のプラグ側信号コンタクト対と、を備え、前記板状のプラグ側グランドコンタクトと基板を接続するリード部は、交互に前記板状のプラグ側グランドコンタクトの異なる側に引き延ばされているプラグ側コネクタ。【選択図】図３
2011086473.tif 000002
【特許請求の範囲】
【請求項１】
平衡伝送用コネクタを構成するプラグ側コネクタであって、
当該プラグ側コネクタの長手方向に延在する板状のプラグ側グランドコンタクトと、
前記プラグ側グランドコンタクトの両側に、前記プラグ側グランドコンタクトの延在方向に沿って一対のプラグ側信号コンタクトが並ぶように形成された、複数のプラグ側信号コンタクト対と、を備え、
前記板状のプラグ側グランドコンタクトと基板を接続するリード部は、交互に前記板状のプラグ側グランドコンタクトの異なる側に引き延ばされている、
プラグ側コネクタ。
【請求項２】
平衡伝送用コネクタを構成するプラグ側コネクタであって、
当該プラグ側コネクタの長手方向に延在すると共に単数又は複数のスリットが設けられた板状のプラグ側グランドコンタクトと、
前記プラグ側グランドコンタクトの両側に、前記プラグ側グランドコンタクトの延在方向に沿って一対のプラグ側信号コンタクトが並ぶように形成された、複数のプラグ側信号コンタクト対と、を備え、
前記板状のプラグ側グランドコンタクトと基板を接続するリード部は、交互に前記板状のグランドコンタクトの異なる側に引き延ばされている、
プラグ側コネクタ。
【請求項３】
前記複数のプラグ側信号コンタクト対は、前記板状のプラグ側グランドコンタクトを挟んで対向する一対のプラグ側信号コンタクト同士が、当該プラグ側コネクタの長手方向に関してオフセットして並べられている、
請求項１又は２に記載のプラグ側コネクタ。
【請求項４】
請求項１ないし３のいずれか１項に記載のプラグ側コネクタと、
該プラグ側コネクタが有するプラグ側グランドコンタクト及びプラグ側信号コンタクトにそれぞれ接触して導通する、ジャック側グランドコンタクト及びジャック側信号コンタクトを有するジャック側コネクタと、
を備える平衡伝送用コネクタ。
【発明の詳細な説明】
【技術分野】
【０００１】
本発明は、平衡伝送を行なうための平衡伝送用コネクタ、及びその一方の側を構成するプラグ側コネクタに関する。
【背景技術】
【０００２】
従来、コンピュータや基板間でデータを伝送する際の伝送方式として、信号をグランド電位に対する電圧として送る不平衡伝送 (unbalanced transmission)や、２本の対等な信号線のペアを用いて、信号をその信号線ペアの間の電位差として送る平衡伝送(balanced transmission)が採用されている。平衡伝送は、不平衡伝送に比してノイズの影響を受けにくい等の利点を有しており、その利用範囲が拡大している。
【０００３】
平衡伝送用コネクタとして、長板状の導電体で形成されたプラグ側グランドコンタクト及び信号線ペアに接続される一対のプラグ側信号コンタクトが交互に形成されたプラグ側コネクタと、ジャック側コネクタが対になったものが用いられている。こうした態様の平衡伝送用コネクタでは、グランドコンタクトと信号コンタクトが交互に形成されているため、部品点数が多くなり、また狭ピッチ化（コネクタの長手方向のサイズを変更せずに多数の信号コンタクトを搭載すること）が困難であるという課題が生じていた。
【０００４】
一般的な平衡伝送用コネクタでは、上記一対の信号コンタクトは、コネクタの短手方向に並ぶように形成される。これに対し、一対の信号コンタクトがコネクタの長手方向に並ぶように形成された平衡伝送用コネクタに関する発明が開示されている（例えば、特許文献１参照）。このコネクタでは、コネクタの長手方向に延在する板状の部材（第１の部材と称する）にスリットを形成し、第１の部材に直交するように複数の部材（第２の部材と称する）を取り付けて、グランドコンタクトを形成している。そして、第１の部材の両側に、第１の部材の延在方向に沿って信号コンタクト対が並ぶように複数の信号コンタクト対を配置し、各対の信号コンタクトを第２の部材で隔離する構成となっている。また、グランドコンタクトと基板を接続するためのリード部は、第２の部材の両端部から延びるように形成されている。
【先行技術文献】
【特許文献】
【０００５】
【特許文献１】国際公開第２００３−０６５５１２号
【発明の概要】
【発明が解決しようとする課題】
【０００６】
しかしながら、上記特許文献１に記載のコネクタや前述の一般的な平衡伝送用コネクタでは、複数個の部品でグランドコンタクトを形成しているため、部品点数の削減を行なうことが困難である。また、各対の信号コンタクトをグランドコンタクト用部材（上記特許文献１に記載のコネクタの場合は、第２の部材）で隔離しているため、狭ピッチ化を実現するのも困難である。
【０００７】
また、特許文献１に記載のコネクタでは、近年求められている高速伝送に対応できない場合が生じる。グランドコンタクトの役割の一つは、各組の信号コンタクトをシールドしてノイズを低減することにあるが、反面、信号コンタクトとグランドコンタクトの電磁結合が強くなると、グランドコンタクトを流れる電流が共振を起こしやすくなり、これが大きいノイズを生じさせる原因となる場合がある。この共振は、信号伝送の周波数が共振周波数に至ることで生じるため、信号コンタクトとグランドコンタクトの電磁結合が強い（電磁結合は近接しているほど強くなる）コネクタでは、共振周波数以上の周波数で信号伝送を行なうことができないことになる。
【０００８】
本発明はこれらの課題を解決するためのものであり、部品点数の削減及び狭ピッチ化を実現すると共に、高速伝送に対応可能なプラグ側コネクタ、及びこれを含む平衡伝送用コネクタを提供することを、主たる目的とする。
【課題を解決するための手段】
【０００９】
上記目的を達成するための本発明の第１の態様は、
平衡伝送用コネクタを構成するプラグ側コネクタであって、
当該プラグ側コネクタの長手方向に延在する板状のプラグ側グランドコンタクトと、
前記プラグ側グランドコンタクトの両側に、前記プラグ側グランドコンタクトの延在方向に沿って一対のプラグ側信号コンタクトが並ぶように形成された、複数のプラグ側信号コンタクト対と、を備え、
前記板状のプラグ側グランドコンタクトと基板を接続するリード部は、交互に前記板状のプラグ側グランドコンタクトの異なる側に引き延ばされている、
プラグ側コネクタである。
【００１０】
この本発明の第１の態様によれば、部品点数の削減及び狭ピッチ化を実現すると共に、高速伝送に対応することができる。
【００１１】
本発明の第２の態様は、
平衡伝送用コネクタを構成するプラグ側コネクタであって、
当該プラグ側コネクタの長手方向に延在すると共に単数又は複数のスリットが設けられた板状のプラグ側グランドコンタクトと、
前記プラグ側グランドコンタクトの両側に、前記プラグ側グランドコンタクトの延在方向に沿って一対のプラグ側信号コンタクトが並ぶように形成された、複数のプラグ側信号コンタクト対と、を備え、
前記板状のプラグ側グランドコンタクトと基板を接続するリード部は、交互に前記板状のグランドコンタクトの異なる側に引き延ばされている、
プラグ側コネクタである。
【００１２】
この本発明の第２の態様によれば、部品点数の削減及び狭ピッチ化を実現すると共に、高速伝送に対応することができる。
【００１３】
本発明の第１又は第２の態様において、
前記複数のプラグ側信号コンタクト対は、前記板状のプラグ側グランドコンタクトを挟んで対向する一対のプラグ側信号コンタクト同士が、当該プラグ側コネクタの長手方向に関してオフセットして並べられているものとしてもよい。
【００１４】
こうすれば、グランドコンタクトから延びるリード部と信号コンタクトを高密度に並べることができるため、更なる狭ピッチ化を実現することができる。
【００１５】
本発明の第３の態様は、
本発明の第１又は第２の態様のプラグ側コネクタと、
該プラグ側コネクタが有するプラグ側グランドコンタクト及びプラグ側信号コンタクトにそれぞれ接触して導通する、ジャック側グランドコンタクト及びジャック側信号コンタクトを有するジャック側コネクタと、
を備える平衡伝送用コネクタである。
【００１６】
本発明の第３の態様によれば、部品点数の削減及び狭ピッチ化を実現すると共に、高速伝送に対応することができる。
【発明の効果】
【００１７】
本発明によれば、部品点数の削減及び狭ピッチ化を実現すると共に、高速伝送に対応可能なプラグ側コネクタ、及びこれを含む平衡伝送用コネクタを提供することができる。
【図面の簡単な説明】
【００１８】
【図１】プラグ側コネクタとジャック側コネクタが勘合して基板同士を接続させる様子の一例を示す図である。
【図２】本発明の第１実施例に係る平衡伝送用コネクタが有するプラグ側コネクタ１０の外観構成を示す斜視図である。
【図３】本発明の第１実施例に係る平衡伝送用コネクタが有するプラグ側コネクタ１０から絶縁体部品を除去し、導電体部品のみを示した斜視図である。
【図４】プラグ側コネクタ１０の導電体部品を図３におけるＹ方向から見た図である。
【図５】本発明の第１実施例に係る平衡伝送用コネクタが有するジャック側コネクタ５０の外観構成を示す斜視図である。
【図６】本発明の第１実施例に係る平衡伝送用コネクタが有するジャック側コネクタ５０から絶縁体部品を除去し、導電体部品のみを示した斜視図である。
【図７】ジャック側コネクタ５０の導電体部品を図６におけるＹ方向から見た図である。
【図８】本発明に係る平衡伝送用コネクタと特許文献１に記載のコネクタのノイズ特性を比較した図である。
【図９】本発明の第２実施例に係る平衡伝送用コネクタが有するプラグ側コネクタ１１０から絶縁体部品を除去し、導電体部品のみを示した斜視図である。
【図１０】本発明の第２実施例に係る平衡伝送用コネクタが有するジャック側コネクタ１５０から絶縁体部品を除去し、導電体部品のみを示した斜視図である。
【発明を実施するための形態】
【００１９】
以下、本発明を実施するための形態について、添付図面を参照しながら実施例を挙げて説明する。
【実施例】
【００２０】
以下、図面を参照し、本発明の平衡伝送用コネクタについて説明する。本発明の平衡伝送用コネクタは、基板同士を接続するためのものであり、プラグ側コネクタと、ジャック側コネクタがセットそして用いられる。図１は、プラグ側コネクタとジャック側コネクタが勘合して基板同士（図では、基板１、基板２と表記した）を接続させる様子の一例を示す図である。本発明の平衡伝送用コネクタは、図１に例示した態様で基板同士を電気的に導通させ、基板間で信号や電力を伝送させる。
【００２１】
＜第１実施例＞
以下、本発明の第１実施例に係る平衡伝送用コネクタについて説明する。
【００２２】
（プラグ側コネクタ）
図２は、本発明の第１実施例に係る平衡伝送用コネクタが有するプラグ側コネクタ１０の外観構成を示す斜視図である。また、図３は、本発明の第１実施例に係る平衡伝送用コネクタが有するプラグ側コネクタ１０から絶縁体部品を除去し、導電体部品のみを示した斜視図である。
【００２３】
まず、図３に示すプラグ側コネクタ１０の導電体部品について説明する。プラグ側コネクタ１０は、プラグ側グランドコンタクト２０と、複数のプラグ側信号コンタクト対３０と、を備える。プラグ側グランドコンタクト２０及び複数のプラグ側信号コンタクト対３０は、導電性の金属材によって形成されている。
【００２４】
プラグ側グランドコンタクト２０は、平衡伝送用コネクタの長手方向（図中、Ｘ方向）に延在する板状の部材である。プラグ側グランドコンタクト２０からは、基板（以下、図１に即して基板２とする）とプラグ側グランドコンタクト２０を接続するための複数のリード部２２が、交互にプラグ側グランドコンタクト２０の異なる側に引き延ばされている。
【００２５】
プラグ側グランドコンタクト２０及び複数のリード部２２は、例えば一枚の金属板からプレス成型・折り曲げ加工等によって製作することができる。従って、部品点数を削減すると共に、製作過程を簡易にすることができる。
【００２６】
複数のプラグ側信号コンタクト対３０は、プラグ側グランドコンタクト２０の両側に形成されている。また、複数のプラグ側信号コンタクト対３０は、プラグ側グランドコンタクト２０の延在方向に沿って一対のプラグ側信号コンタクト３０Ａ、３０Ｂが並ぶように形成されている。プラグ側信号コンタクト３０Ａ、３０Ｂは、それぞれ＋信号と−信号を伝送するためのものである。プラグ側信号コンタクト３０Ａ、３０Ｂからは、基板２とプラグ側信号コンタクト３０Ａ、３０Ｂを接続するための複数のリード部３２Ａ、３２Ｂが、プラグ側グランドコンタクト２０と反対側に引き延ばされている。
【００２７】
そして、複数のプラグ側信号コンタクト対３０は、プラグ側グランドコンタクト２０を挟んで対向する一対のプラグ側信号コンタクト同士が、平衡伝送用コネクタの長手方向に関してオフセットして並べられている。図４は、プラグ側コネクタ１０の導電体部品を図３におけるＹ方向から見た図である。図示するように、本実施例のプラグ側コネクタ１０では、（１）リード部２２、（２）プラグ側信号コンタクト３０Ａ及びリード部３２Ａ、（３）プラグ側信号コンタクト３０Ｂ及びリード部３２Ｂの順で、高密度に並べられている。従って、狭ピッチ化（コネクタの長手方向のサイズを変更せずに多数の信号コンタクトを搭載すること）を実現することができる。
【００２８】
プラグ側コネクタ１０の導電体部品は、図２に示すように、筐体４０及び絶縁体４５によって保持され、プラグ側コネクタ１０を構成する。筐体４０及び絶縁体４５は、例えば、電気絶縁性を有する合成樹脂（例えば、ＬＣＰ（Liquid Crystal Polymer）等の熱可塑性樹脂）を成型したモールド部品であり、一体に形成されてよい。
【００２９】
（ジャック側コネクタ）
図５は、本発明の第１実施例に係る平衡伝送用コネクタが有するジャック側コネクタ５０の外観構成を示す斜視図である。また、図６は、本発明の第１実施例に係る平衡伝送用コネクタが有するジャック側コネクタ５０から絶縁体部品を除去し、導電体部品のみを示した斜視図である。
【００３０】
ジャック側コネクタ５０の導電体部品は、ジャック側グランドコンタクト６０と、複数のジャック側信号コンタクト対７０と、を備える。ジャック側グランドコンタクト６０及び複数のジャック側信号コンタクト対７０は、導電性の金属材によって形成されている。
【００３１】
ジャック側グランドコンタクト６０は、爪部６０Ａ、６０Ｂを有する。爪部６０Ａ、６０Ｂは、平衡伝送用コネクタの長手方向（図中、Ｘ方向）に延在する基底部６０Ｃによって接続されている。
【００３２】
ジャック側コネクタ５０にプラグ側コネクタ１０が装着されると、爪部６０Ａ、６０Ｂが平衡伝送用コネクタの長手方向における両側からプラグ側グランドコンタクト２０を押圧し、ジャック側グランドコンタクト６０がプラグ側グランドコンタクト２０と導通する。
【００３３】
また、基底部６０Ｃからは、基板とジャック側グランドコンタクト６０を接続するための複数のリード部６２が、交互にジャック側グランドコンタクト６０の異なる側に引き延ばされている。
【００３４】
爪部６０Ａ、６０Ｂ、基底部６０Ｃ、及び複数のリード部６２は、例えば一枚の金属板からプレス成型及び折り曲げによって製作することができる。従って、部品点数を削減すると共に、製作過程を簡易にすることができる。
【００３５】
複数のジャック側信号コンタクト対７０は、ジャック側グランドコンタクト６０の両側に形成されている。また、複数のジャック側信号コンタクト対７０は、基底部６０Ｃの延在方向に沿って一対のジャック側信号コンタクト７０Ａ、７０Ｂが並ぶように形成されている。ジャック側信号コンタクト７０Ａ、７０Ｂは、それぞれ＋信号と−信号を伝送するためのものである。ジャック側信号コンタクト７０Ａ、７０Ｂからは、基板１とジャック側信号コンタクト７０Ａ、７０Ｂを接続するための複数のリード部７２Ａ、７２Ｂが、基底部６０Ｃと反対側に引き延ばされている。
【００３６】
複数のジャック側信号コンタクト対７０は、基底部６０Ｃを挟んで対向する一対のプラグ側信号コンタクト同士が、平衡伝送用コネクタの長手方向に関してオフセットして並べられている。図７は、ジャック側コネクタ５０の導電体部品を図６におけるＹ方向から見た図である。ジャック側コネクタ５０にプラグ側コネクタ１０が装着されると、一対のジャック側信号コンタクト７０Ａ、７０Ｂが平衡伝送用コネクタの短手方向における外側から一対のプラグ側信号コンタクト３０Ａ、３０Ｂを押圧し、それぞれが導通する。
【００３７】
図７に示すように、本実施例のジャック側コネクタ５０では、（１）リード部６２、（２）ジャック側信号コンタクト７０Ａ及びリード部７２Ａ、（３）ジャック側信号コンタクト７０Ｂ及びリード部７２Ｂの順で、高密度に並べられている。従って、狭ピッチ化を実現することができる。
【００３８】
ジャック側コネクタ５０の導電体部品は、図５に示すように、筐体８０によって保持され、ジャック側コネクタ５０を構成する。筐体８０は、例えば、電気絶縁性を有する合成樹脂を成型したモールド部品であり、一体に形成されてよい。
【００３９】
以上のような構成により、プラグ側コネクタ１０がジャック側コネクタ５０に装着されると、リード部２２に接続された基板２のグランド端子と、リード部６２に接続された基板１のグランド端子とが、電気的に接続され、グランド電位を共有する。また、リード部３２Ａに接続された基板２の第１の信号端子と、リード部７２Ａに接続された基板２の第１の信号端子とが電気的に接続されると共に、リード部３２Ｂに接続された基板２の第２の信号端子と、リード部７２Ｂに接続された基板１の第２の信号端子とが電気的に接続される。これによって、信号の受信側では、第１の信号端子と第２の信号端子の電位差に基づいて信号を判別し、平衡伝送が行われる。
【００４０】
（共振の抑制について）
本実施例の平衡伝送用コネクタでは、プラグ側グランドコンタクト２０及びジャック側グランドコンタクト６０が、それぞれ電気的に一体の部品から形成されている。従って、従来のグランドコンタクト及び一対の信号コンタクトが交互に形成されたコネクタに比して、グランドコンタクトに流れる電流が共振することによるノイズの発生を抑制することができる。
【００４１】
ここで、上記特許文献１に記載のコネクタにおいても、各リード部に接続されたグランドコンタクトは、電気的に一体の部品から形成されているため、同様の効果を奏している。しかしながら、狭ピッチ化を実現しようとした場合、コネクタの短手方向に延在するグランドコンタクトと信号コンタクトの距離を短くせざるを得ないため、グランドコンタクトと信号コンタクトの電磁的結合が強くなる。その結果、本発明に係る平衡伝送用コネクタに比して、グランドコンタクトに流れる電流の共振周波数が低くなってしまう。
【００４２】
図８は、本発明に係る平衡伝送用コネクタと特許文献１に記載のコネクタのノイズ特性を比較した図である。図中、（Ａ）が本発明に係る平衡伝送用コネクタのノイズ特性を示し、図中（Ｂ）が特許文献１に記載のコネクタのノイズ特性を示している。特許文献１に記載のコネクタはより多くのグランドコンタクトで信号コンタクトを囲繞しているため、本発明に係る平衡伝送用コネクタは特許文献１に記載のコネクタに比して低周波領域における平均的なノイズの量は多くなるものの、グランドコンタクトに流れる電流の共振周波数を高くすることができるため、より高周波な信号伝送に対応することができる。
【００４３】
もとより、本発明に係る平衡伝送用コネクタは、特許文献１に記載のコネクタ及び従来の一般的なコネクタ（グランドコンタクトと信号コンタクトを交互に並べたもの）に比して、グランドコンタクトを単一の板状部材から形成可能であるため部品点数の削減を実現できる。また、信号コンタクトとグランドコンタクトを交互に並べないこと、及び前述した信号コンタクトのオフセット構造によって狭ピッチ化を実現できる点においても、優位性を備えている。
【００４４】
以上説明した本実施例の平衡伝送用コネクタによれば、部品点数の削減及び狭ピッチ化を実現すると共に、高速伝送に対応することができる。
【００４５】
＜第２実施例＞
以下、本実施例の第２実施例に係る平衡伝送用コネクタについて説明する。
【００４６】
（プラグ側コネクタ）
図９は、本発明の第２実施例に係るプラグ側グランドコンタクト１２０を示す図である。なお、プラグ側信号コンタクトに関しては第１実施例と同様であるため、図示及び説明を省略する。プラグ側グランドコンタクト１２０及びプラグ側信号コンタクトは、導電性の金属材によって形成されている。
【００４７】
プラグ側グランドコンタクト１２０は、平衡伝送用コネクタの長手方向（図中、Ｘ方向）に延在する板状の部材であり、複数のスリット１２４が形成されている。なお、このスリットは、単数であってもよい。プラグ側グランドコンタクト１２０からは、基板２とプラグ側グランドコンタクト１２０を接続するための複数のリード部１２２が、交互にプラグ側グランドコンタクト１２０の異なる側に引き延ばされている。
【００４８】
プラグ側グランドコンタクト１２０及び複数のリード部１２２は、例えば一枚の金属板からプレス成型及び折り曲げによって製作することができる。従って、部品点数を削減すると共に、製作過程を簡易にすることができる。
【００４９】
本実施例に係る複数のプラグ側信号コンタクト対は、プラグ側グランドコンタクト１２０を挟んで対向する一対のプラグ側信号コンタクト同士が、平衡伝送用コネクタの長手方向に関してオフセットして並べられている。係る構造については、第１実施例と同様であるため、図４を参照することとして説明を省略する。これによって、狭ピッチ化を実現することができる。
【００５０】
また、プラグ側コネクタ１１０の導電体部品を保持する絶縁体部品についても、第１実施例と同様であるため、説明を省略する。
【００５１】
（ジャック側コネクタ）
図１０は、本発明の第２実施例に係るジャック側グランドコンタクト１６０を示す図である。ジャック側信号コンタクトに関しては第１実施例と同様であるため、図示及び説明を省略する。ジャック側グランドコンタクト１６０及びジャック側信号コンタクトは、導電性の金属材によって形成されている。
【００５２】
ジャック側グランドコンタクト１６０は、爪部１６０Ａ、１６０Ｂ、１６０Ｃ、１６０Ｄを有する。爪部１６０Ａ、１６０Ｂ、１６０Ｃ、１６０Ｄは、平衡伝送用コネクタの長手方向（図中、Ｘ方向）に延在する基底部１６０Ｅによって一体となっている。なお、爪部の個数は、プラグ側グランドコンタクト１２０のスリット１２４の数によって増減される。
【００５３】
本実施例に係るジャック側コネクタにプラグ側コネクタが装着されると、爪部１６０Ａ、１６０Ｂ、１６０Ｃ、１６０Ｄが平衡伝送用コネクタの長手方向における両側から、或いはスリット１２４内において上記長手方向におけるいずれかの側からプラグ側グランドコンタクト１２０を押圧し、ジャック側グランドコンタクト１６０がプラグ側グランドコンタクト１２０と導通する。
【００５４】
また、基底部１６０Ｅからは、基板とジャック側グランドコンタクト１６０を接続するための複数のリード部１６２が、交互にジャック側グランドコンタクト１６０の異なる側に引き延ばされている。
【００５５】
爪部１６０Ａ、１６０Ｂ、１６０Ｃ、１６０Ｄ、基底部１６０Ｅ、及び複数のリード部１６２は、例えば一枚の金属板からプレス成型及び折り曲げによって製作することができる。従って、部品点数を削減すると共に、製作過程を簡易にすることができる。
【００５６】
本実施例に係るジャック側信号コンタクト対は、基底部１６０Ｅを挟んで対向する一対のプラグ側信号コンタクト同士が、平衡伝送用コネクタの長手方向に関してオフセットして並べられている。係る構造については、第１実施例と同様であるため、図７を参照することとして説明を省略する。これによって、狭ピッチ化を実現することができる。
【００５７】
ジャック側コネクタを保持する絶縁体部品についても、第１実施例と同様であるため、説明を省略する。
【００５８】
グランドコンタクトを流れる電流の共振の抑制について、本実施例の平衡伝送用コネクタは、第１実施例と同様の効果を有する。なお、第１実施例に比して、グランドコンタクトにおける平均伝送経路長を短縮することができる（第１実施例ではリード部６２のうちジャック側グランドコンタクト６０の中央部に位置するものは、基底部６０Ｃの略半分を通過してプラグ側と導通することになるが、第２実施例では当該距離を経る必要がない）。
【００５９】
以上説明した本実施例の平衡伝送用コネクタによれば、部品点数の削減及び狭ピッチ化を実現すると共に、高速伝送に対応することができる。
【００６０】
以上、本発明を実施するための最良の形態について実施例を用いて説明したが、本発明
はこうした実施例に何等限定されるものではなく、本発明の要旨を逸脱しない範囲内において種々の変形及び置換を加えることができる。
【産業上の利用可能性】
【００６１】
本発明は、コンピュータ、及びその周辺機器の製造業等に利用可能である。
【符号の説明】
【００６２】
１０  プラグ側コネクタ
２０、１２０  プラグ側グランドコンタクト
２２、１２２  リード部
３０  プラグ側信号コンタクト対
３０Ａ、３０Ｂ  プラグ側信号コンタクト
３２Ａ、３２Ｂ  リード部
４０、８０  筐体
４５  絶縁体
５０  ジャック側コネクタ
６０、１６０  ジャック側グランドコンタクト
６０Ａ、６０Ｂ、１６０Ａ、１６０Ｂ、１６０Ｃ、１６０Ｄ  爪部
６０Ｃ、１６０Ｅ  基底部
６２、１６２  リード部
７０  ジャック側信号コンタクト対
７０Ａ、７０Ｂ  ジャック側信号コンタクト
７２Ａ、７２Ｂ  リード部
１２４  スリット
【図１】
2011086473.tif 000003
【図２】
2011086473.tif 000004
【図３】
2011086473.tif 000005
【図４】
2011086473.tif 000006
【図５】
2011086473.tif 000007
【図６】
2011086473.tif 000008
【図７】
2011086473.tif 000009
【図８】
2011086473.tif 000010
【図９】
2011086473.tif 000011
【図１０】
2011086473.tif 000012